(57)【要約】      （修正有）【課題】近年の急激なペットブームによる弊害として、飼い主の飼育に対する教育不足から糞害等が各自治体において問題となっている場合が多いが、それらの問題を少しでも改善し、今後ますます増えると思われるペットと飼い主、及び非飼い主との関係を良好にする。【解決手段】飼い主がペットと一緒に外出する場合に車の車外に車外吊り下げフックを取り付けることで、飼い主が不快な思いをせずに外出先での排泄物を気持ち良く持ち帰る事が可能となり、改善・解決されるものである。【選択図】図３
0003134566.tif 000002
【実用新案登録請求の範囲】
【請求項１】
自動車で犬・猫等の愛玩動物との外出時において排泄物を車内に入れずに持ち帰るための自動車用車外引っ掛けフック。
【請求項２】
ナンバ−プレ−トへ取り付ける場合において、ナンバ−表示部が隠れないように中心をずらしたフック。
【考案の詳細な説明】
【技術分野】
【０００１】本考案は、自動車の車外に排泄物を吊るすためのフックに関するものである。
【背景技術】
【０００２】従来、外出先での排泄物を持ち帰る方法としては、車内に入れて持ち帰るか、車外のワイパー等の出っ張りのある部分に無理やり引っ掛けて持ち帰るのが現状である。さらに責任感のない非常識な場合においては適切な処理をせず、放置して帰る飼い主もいる。
【考案の開示】
【考案が解決しようとする課題】
【０００３】  本考案は、近年の急激なペットブ−ムによる弊害として、飼い主の飼育に対する教育不足から糞害等が各自治体において問題となっている場合が多いが、それらの問題を少しでも改善し、今後ますます増えると思われるペットと飼い主、及び非飼い主との関係を良好にする為である。
【課題を解決するための手段】
【０００４】  本考案は、［０００２］のような飼い主がペットと一緒に外出する場合に車の車外に車外吊り下げフックを取り付けることで改善・解決されるものである。
【考案の効果】
【０００５】  本考案のようなフックを取り付けることにより飼い主が不快な思いをせずに外出先での排泄物を気持ち良く持ち帰る事が可能となる。
【考案を実施するための最良の形態】
【０００６】  以下、図面を基に本考案の一実施例を具体的に説明する。図１は、本考案の車外吊り下げフックの一実施例の斜視図であり、図２は、縦断面図である。
【図面の簡単な説明】
【図１】
0003134566.tif 000003
【図２】
0003134566.tif 000004
【図３】
0003134566.tif 000005
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
自動車で犬・猫等の愛玩動物との外出時において排泄物を車内に入れずに持ち帰るための自動車用車外引っ掛けフック。
【請求項２】
請求事項１に記載の自動車用車外引っ掛けフックにおいて、ナンバープレートへ取り付けるフックのネジ穴を、ナンバー表示部分が隠れてしまわないように図３のようにネジ穴の中心をずらしたことを特徴とする請求事項１記載の自動車用車外引っ掛けフック。
【請求項３】
請求事項１に記載の自動車用車外引っ掛けフックにおいて、ナンバープレートと同じ長さにすることによって、排泄物を入れた袋などでナンバー表示部分が隠れてしまわないようにすることを特徴とする請求事項１記載の自動車用車外引っ掛けフック。
【手続補正２】
【補正対象書類名】明細書
【補正対象項目名】全文
【補正方法】変更
【補正の内容】
【考案の詳細な説明】
【技術分野】
【０００１】  本考案は、自動車の車外に排泄物を吊るすためのフックに関するものである。
【背景技術】
【０００２】  従来、自動車での外出時では排泄物を持ち帰る方法としては、ビニール袋などにとり車内に入れて持ち帰るか、車のリアワイパー等の出っ張りのある部分に無理やり引っ掛けて持ち帰るのが一般化している。排泄物を車内に長時間置いておくと匂いが充満し不快であり、リアワイパーに吊るした場合は、運転中の後方の視界を遮り危険である。また、雨の走行時にはリアワイパーを使用することができないなど、不便であるといった欠点がある。
さらに責任感のない非常識な場合においては適切な処理をせず、放置して帰る飼い主もいる。
【考案の開示】
【考案が解決しようとする課題】
【０００３】  本考案は自動車での外出時、ビニール袋などにとった排泄物をひとつにまとめてフックに吊り下げることができ、車内に臭気を洩らさず、車の運転にも危険・不便なことがなく家に持ち帰ることができるフックの開発を課題とした。
【課題を解決するための手段】
【０００４】  本考案の自動車用車外引っ掛けフックは、ナンバープレートへ取り付けるフックのネジ穴を、図３のようにネジ穴の中心をずらして取り付けることにより、排泄物が入った袋でナンバー表示部分が隠れてしまわないようにしたことを特徴とする。【０００５】  また、本考案の自動車用車外引っ掛けフックは、ナンバープレートと同じ長さにすることによって、排泄物が入った袋などでナンバー表示部分が隠れてしまわないようにすることを特徴とする。
【考案の効果】
【０００６】  本考案の自動車用車外引っ掛けフックは、車外に排泄物を吊り下げることにより車内の臭気を気にせず、また車の運転も危険・不便なことがなく飼い主が不快な思いをせずに外出先での排泄物を気持ち良く持ち帰る事が可能となる。
【考案を実施するための最良の形態】
【０００７】  図１は本考案を車のナンバープレートに取り付ける時の状態を示す。フックの長さは１５０ｍｍ。ネジ穴１は直径約６ｍｍである。吊り下げ部分２は２０ｍｍ。【０００８】  図３はナンバープレートに取り付けたときの状態を示す。ナンバープレートに付属している正面向かって右側のネジをいったんはずし、図１のネジ穴１と図３のナンバープレートのネジ穴３をあわせ、はずしたネジを取り付ける。【０００９】  図２の吊り下げ部分２にビニール袋などを引っ掛ける。
【図面の簡単な説明】
【００１０】
【図１】平面図
【図２】側面図
【図３】使用時の状態説明図。
【符号の説明】
１  ネジ穴
２  吊り下げ部分
【手続補正３】
【補正対象書類名】図面
【補正対象項目名】全図
【補正方法】変更
【補正の内容】
【図１】
0003134566.tif 000006
【図２】
0003134566.tif 000007
【図３】
0003134566.tif 000008
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
本考案は、犬・猫等の排泄物を車のナンバープレートの機能を損なわずにナンバープレートのネジを利用し、犬・猫等の排泄物を車外に吊り下げるために取り付ける自動車用車外引っ掛けフックである。フック上部のネジ穴（１）部分より下方へ展開する下方吊り下げ部分を、ナンバープレートのネジ穴を（３）から横にずらし下方へ吊り下げ、吊り下げ部分（２）に排泄物を入れた袋を吊り下げて、ナンバー表示部分を隠す事無く排泄物を入れた袋が吊り下げられることを特徴とする自動車用車外引っ掛けフック。
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
フックの長さを自動車のナンバープレートの縦の長さと同じ（図３）にし、フックのネジ穴（１）がナンバープレートのネジ穴（３）に合うようにし、図３のようにネジ穴（３）から下方へ延ばした吊り下げ部（２）がナンバー表示部を隠してしまわないようにフックのネジ穴（１）の中心をずらしたフック。
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
吊り下げフックのネジ穴（１）をナンバープレートのネジ穴（３）に合うようにし、ネジ穴（３）から下方へ延ばした吊り下げ部（２）がナンバー表示部分を隠してしまわない吊り下げフック。